(57)【特許請求の範囲】
【請求項１】
画面上に画像を初期表示状態で表示させる表示部と、
前記画像の表示状態を変更操作に応じて初期表示状態から変更する変更部と、
前記画像の変更表示状態をその保持指定に応じて保持させる保持部と、
前記画面上の画像が切り替えられたときに前記保持指定に基づいて前記変更表示状態を切り替え後の画像の表示に適用させる状態適用部とを備え、
前記状態適用部は、前記保持指定された画像と同一画像を更新するときに前記変更表示状態の適用を行い、前記保持指定された画像と異なる画像に切り替えられたときに保持されている前記変更表示状態を破棄する、
ことを特徴とする画像処理装置。
【請求項２】
請求項１記載の画像処理装置であって、
前記保持指定の入力を受ける入力部を備え、
前記保持部は、前記入力に応じて前記保持指定の継続又は解除を保持し、
前記状態適用部は、前記保持指定が継続の場合、前記保持指定された画像と同一画像を更新するときに前記変更表示状態の適用を行い、前記保持指定が解除の場合、前記保持指定された画像と同一画像を更新するときに前記初期表示状態の適用を行う、
ことを特徴とする画像処理装置。
【請求項３】
請求項１又は２記載の画像処理装置であって、
前記変更表示状態は、前記保持指定したときの画像の表示座標及び拡大倍率を含む、
ことを特徴とする画像処理装置。
【請求項４】
画面上に画像を初期表示状態で表示させる表示手順と、
前記画像の表示状態を変更操作に応じて初期表示状態から変更する変更手順と、
前記画像の変更表示状態をその保持指定と共に保持させる保持手順と、
前記画面上の画像が切り替えられたときに前記保持指定に基づいて前記変更表示状態を切り替え後の画像の表示に適用する状態適用手順と、
をコンピューターに実行させる画像処理プログラムであって、
前記状態適用手順は、前記保持指定された画像と同一画像を更新するときに前記変更表示状態の適用を行い、前記保持指定された画像と異なる画像に切り替えられたときに保持されている前記変更表示状態を破棄する、
ことを特徴とする画像処理プログラム。
【請求項５】
請求項４記載の画像処理プログラムであって、
前記保持指定の入力を受ける入力受付手順を備え、
前記保持手順は、前記入力に応じて前記保持指定の継続又は解除を保持し、
前記状態適用手順は、前記保持指定が継続の場合、前記保持指定された画像と同一画像を更新するときに前記変更表示状態の適用を行い、前記保持指定が解除の場合、前記保持指定された画像と同一画像を更新するときに前記初期表示状態の適用を行う、
ことを特徴とする画像処理プログラム。
【発明の詳細な説明】
【技術分野】
【０００１】
本発明は、画面上の画像を切り替えて表示させる画像処理装置及び画像処理プログラムに関する。
【背景技術】
【０００２】
近年の携帯電話等のような携帯端末においては、Ｗｅｂページを閲覧可能とするものがあり、専用のＷｅｂページの他、ＰＣ用のＷｅｂページも閲覧することができるようになっている。
【０００３】
しかし、ＰＣ用のＷｅｂページは、携帯端末の比較的小さい画面上で表示すると、初期表示状態でページ内の文字、リンク、アイコン等が画面に応じて小さく表示され、視認性が低下していた。
【０００４】
これに対し、携帯端末としては、タッチパネル上でのフリップ・ピンチ等の操作を通じ、表示中の画像（ページ）の拡大、縮小、スクロール等の画像処理を行わせるものがある（例えば特許文献１参照）。
【０００５】
このような携帯端末では、ＰＣ用のＷｅｂページであっても、着目したい箇所に拡大やスクロールで容易にフォーカスを当てて視認性を向上できる。
【０００６】
ところが、ページの切り替えを行った場合は、切り替え後のページが初期表示状態となることから、切り替え前のフォーカス（変更表示状態）がリセットされてしまうことになる。このため、切り替え後のページにおいても、上記同様の再操作で着目したい箇所にフォーカスを当て直さなければならないという問題がある。
【０００７】
この再操作は、特に自動更新のように同一ページへの切り替えを行うケースでは煩わしいものとなる。
【先行技術文献】
【特許文献】
【０００８】
【特許文献１】特開２００８−２７４５３号公報
【発明の概要】
【発明が解決しようとする課題】
【０００９】
本発明が解決しようとする問題点は、画像の切り替え前の変更表示状態が常にリセットされて利便性が低下する点である。
【課題を解決するための手段】
【００１０】
本発明は、画像の切り替え前の変更表示状態を利用して利便性を向上するために、画面上に画像を初期表示状態で表示させる表示部と、前記画像の表示状態を変更操作に応じて初期表示状態から変更する変更部と、前記画像の変更表示状態をその保持指定に応じて保持させる保持部と、前記画面上の画像が切り替えられたときに前記保持指定に基づいて前記変更表示状態を切り替え後の画像の表示に適用させる状態適用部とを備え、前記状態適用部は、前記保持指定された画像と同一画像を更新するときに前記変更表示状態の適用を行い、前記保持指定された画像と異なる画像に切り替えられたときに保持されている前記変更表示状態を破棄することを最も主な特徴とする。
【発明の効果】
【００１１】
本発明によれば、切り替え前の画像に対する変更表示状態を利用することで、切り替え後の画像に対する表示状態の変更操作を行う必要がなく、利便性を向上することができる。
【図面の簡単な説明】
【００１２】
【図１】画像処理装置を示すブロック図である（実施例１）。
【図２】Ｗｅｂページの初期表示状態の画面例である（実施例１）。
【図３】変更表示状態のＷｅｂページに対する保持指定時の画面例である（実施例１）。
【図４】画像処理装置の動作を示すフローチャートである（実施例１）。
【発明を実施するための形態】
【００１３】
画像の切り替え前の変更表示状態を利用して利便性を向上するという目的を、切り替え前の画像の変更表示状態をその保持指定と共に保持させ、保持した変更表示状態を切り替え後の画像表示に保持指定に基づき適用することで実現した。
【００１４】
好ましくは、保持指定された画像と同一画像へ切り替えるときに変更表示状態の適用を行うようにする。同一画像への切り替えは、同一画像の自動更新や別の画像へ切り替えた後に再度同一画像へ戻るような場合の何れであっても良い。
【００１５】
かかる本発明の画像処理装置は、ブラウザーによって複数ページの画像を切り替えて表示可能な情報処理端末、例えば携帯電話機や携帯音楽プレーヤー等に広く適用できる。この場合、ブラウザーは、Ｗｅｂブラウザーや他の画像ブラウザー（画像ビューアー）を用いることができる。
【００１６】
以下、本発明の実施例について図面を参照して説明する。
【実施例１】
【００１７】
［画像処理装置の構成］
図１は、本発明の実施例１に係る画像処理装置を示すブロック図である。
【００１８】
本実施例の画像処理装置１は、例えば携帯電話機等のタッチパネル搭載の携帯端末として適用され、Ｗｅｂブラウザーによって画像であるＷｅｂページ（以下、単に「ページ」と称することがある）を切り替えて表示・閲覧可能となっている。この本実施例の画像処理装置１は、タッチパネル３と、ネットワークインターフェイス５と、記憶部７と、制御部９とを備えている。
【００１９】
タッチパネル３は、タッチパネル式の液晶表示画面等からなり、操作用且つ表示用の画面となっている。このタッチパネル３は、各種操作入力や情報の表示を行わせる。本実施例では、ＷｅｂブラウザーによるＷｅｂページの表示や表示中のページに対するフリップ・ピンチ等の操作を可能とする
ネットワークインターフェイス５は、無線ＬＡＮや移動通信システム等のネットワークを介してサーバーとの間でデータの送受信を行わせる。これにより、Ｗｅｂページの受信が可能となっている。
【００２０】
記憶部７は、各種制御のアプリケーションやデータを記憶するＲＯＭ（Read Only Memory）、ＲＡＭ（Random Access Memory）、ハードディスク等の記憶装置である。
【００２１】
制御部９は、ソフトウェアプログラムを実行して各種制御や作業を行わせるＣＰＵ（Central Process Unit）等の制御要素である。本実施例では、制御部９が記憶部７内の画像処理プログラムを実行することで、表示部１１と、変更部１３と、保持部１５と、状態適用部１７とを機能構成として備える。
【００２２】
表示部１１は、受信したＷｅｂページをタッチパネル３上のＷｅｂブラウザーで表示させる。この表示部１１は、表示手順を実現するものであり、通常、タッチパネル３上にＷｅｂページを初期表示状態で表示させる。
【００２３】
初期表示状態では、携帯端末の比較的小さいタッチパネル３に応じて、Ｗｅｂページ内の文字、リンク、アイコン等の表示情報が小さくなる。このため、特にＰＣ（Personal Computer）用のＷｅｂページにおいては視認性が低下することになる。図２にＷｅｂページの初期表示状態の画面例を示す。
【００２４】
また、表示部１１は、タッチパネル３上でのページ切り替え操作に応じてページを切り替えて表示する。なお、ページの切り替えには、表示中のページに対する別のページに切り替える場合と同一のページを更新する場合とがある。同一ページの更新は、例えば所定周期毎の自動更新や操作入力に応じた手動更新によって行われる。
【００２５】
変更部１３は、変更手順を実現するものであり、Ｗｅｂページの表示状態を変更操作に応じて初期表示状態から変更する。具体的には、タッチパネル３上でのフリップ・ピンチ等の操作に応じ、表示中のＷｅｂページを初期表示状態から拡大、縮小、或いはスクロールさせる。
【００２６】
保持部１５は、保持手順を実現するものであり、Ｗｅｂページの拡大、縮小、或いはスクロール等の変更表示状態をその保持指定に応じて保持させる。図３は、変更表示状態のＷｅｂページに対する保持指定時の画面例を示す。
【００２７】
具体的には、Ｗｅｂブラウザー上で保持指定の入力が行われると、その入力時点での変更表示状態の情報として表示座標及び拡大縮小の倍率等を記憶部７内に保持させる。保持指定は、図３のチェックボックスＣの選択によって行われる。ただし、保持指定の方法は、特に限定されるものではなく、所定軌跡のフリック操作やタッチパネル３に所定時間触れる操作（いわゆる長押）等で行わせることも可能である。
【００２８】
この保持指定は、再度チェックボックスＣが選択されることで解除され、その解除の入力が行われない限り継続される。保持指定の解除も、上記同様にフリック操作や長押等で行わせることも可能である。保持指定の継続又は解除の情報は、保持部１５により記憶部７内に保持させる。
【００２９】
状態適用部１７は、状態適用手順を実現するものである。すなわち、状態適用部１７は、Ｗｅｂページが切り替えられたときに、保持指定に基づいて変更表示状態を切り替え後のページの表示に適用する。本実施例では、保持指定されたページと同一ページへの切り替えであるときに変更表示状態の適用を行う。
【００３０】
具体的には、状態適用部１７が、切り替え後のページが保持指定のページと同一か否かを判定する。同一の場合には、変更表示状態の情報を状態適用部１７が記憶部７内から取得し、その情報に従った表示を行うように表示部１１に指示を行う。
【００３１】
なお、同一ページへの切り替えは、上記更新によって行われるものの他、一度別ページに切り替えた後に再度同一ページへ戻るものがある。
［画像処理装置の動作］
図４は、画像処理装置の動作を示すフローチャートである。本実施例では、図３のように切り替え前のＷｅｂページ中の所定位置を拡大フォーカスし、その表示状態を自動更新がなされた切り替え後にも適用する場合を例に説明する。
【００３２】
図４のフローチャートは、画像処理装置１がＷｅｂページを受信することでスタートする。
【００３３】
ステップＳ１では、「Ｗｅｂページの表示」が行われる。この処理では、図２のように、表示部１１が受信したＷｅｂページをタッチパネル３上に表示させる。
【００３４】
本実施例では、ステップＳ２に移行する前に、図２の初期表示状態から図３の変更表示状態（フォーカス）に変更されることになる。
【００３５】
ステップＳ２では、「保持指定された？」の処理が行われる。この処理では、保持部１５がＷｅｂページ上での保持指定の入力をチェックする。すなわち、保持部１５は、図２及び図３のチェックボックスＣがチェックされたか否かを判断する。
【００３６】
保持指定が入力された場合（ＹＥＳ）は、ステップＳ３へ移行し、入力されていない場合（ＮＯ）は、ステップＳ２へ戻る。
【００３７】
本実施例では、図３のようにチェックボックスＣがチェックされ、保持指定が入力されているものとしてステップＳ３へ移行する。
【００３８】
ステップＳ３では、「変更表示状態の保持」が行われる。この処理では、保持部１５が保持指定の入力時点における表示座標及び拡大縮小の倍率等（変更表示状態の情報）を記憶部７内に保持する。
【００３９】
本実施例では、図３のように、Ｗｅｂページ中の所定位置がフォーカスされているので、その表示座標及び拡大倍率が保持されることになる。このとき、保持指定の継続情報も記憶部７に保持される。
【００４０】
こうしてステップＳ３が完了すると、ステップＳ４へ移行する。
【００４１】
ステップＳ４では、「ページ切り替えあり？」の処理が行われる。この処理では、状態適用部１７がページ切り替えの実行をチェックする。これは、ページ切り替え操作の入力や更新（ＨＴＭＬリクエスト等）の有無をチェックすることで行わせることができる。
【００４２】
ページ切り替えが実行された場合（ＹＥＳ）は、ステップＳ５へ移行し、実行されていない場合（ＮＯ）は、ステップＳ４へ戻る。
【００４３】
本実施例では、同一ページの自動更新によりページ切り替えが実行されてステップＳ５へ移行することになる。
【００４４】
ステップＳ５では、「保持指定継続？」の処理が行われる。この処理では、状態適用部１７が、保持指定の継続を記憶部７内の情報に基づいて判断する。すなわち、状態適用部１７は、図３のチェックボックスＣにチェックがあるか否かを記憶部７内の保持指定の継続又は解除情報から判断する。
【００４５】
保持指定が継続している場合（ＹＥＳ）は、ステップＳ６へ移行し、保持指定が解除されている場合（ＮＯ）は、ステップＳ８へ移行する。
【００４６】
本実施例では、保持指定が継続しているものとしてステップＳ６へ移行する。
【００４７】
ステップＳ６では、「保持指定と同一ページ？」の処理が行われる。この処理では、状態適用部１７が、切り替え後のＷｅｂページが保持指定のなされたＷｅｂページと同一であるか否かを判断する。これは、Ｗｅｂページのヘッダー情報等に基づいて行わせればよい。
【００４８】
同一ページの自動更新等がなされた場合や他のページから保持指定のページに戻った場合には、切り替え後ページが保持指定のページと同一となるので（ＹＥＳ）、ステップＳ７へ移行する。
【００４９】
一方、保持指定のページから他のページへ切り替えられた場合には、切り替え後ページが保持指定のページと異なるので（ＮＯ）、ステップＳ８へ移行する。
【００５０】
本実施例では、同一ページの自動更新がなされてステップＳ７へ移行することになる。
【００５１】
ステップＳ７では、「変更表示状態の適用」が行われる。この処理では、状態適用部１７が表示部１１に対して保持されている変更表示状態に従った表示を行うように指示する。これにより、表示部１１は、変更表示状態を切り替え後のページで再現して表示を行うことができる。
【００５２】
本実施例においては、表示部１１が保持されている表示座標及び拡大倍率に従って図３のフォーカスされたＷｅｂページを表示することになる。
【００５３】
一方、ステップＳ８では、「初期表示状態の適用」が行われる。この処理では、表示部１１が通常通り切り替え後のページを初期表示状態で表示させることになる。
［実施例１の効果］
本実施例の画像処理装置１は、タッチパネル３上にＷｅｂページを初期表示状態で表示させる表示部１１と、Ｗｅｂページの表示状態を変更操作に応じて初期表示状態から変更する変更部１３と、Ｗｅｂページの変更表示状態をその保持指定に応じて保持させる保持部１５と、タッチパネル３上のＷｅｂページが切り替えられたときに保持指定に基づいて変更表示状態を切り替え後のＷｅｂページの表示に適用させる状態適用部１７とを備えている。
【００５４】
従って、本実施例では、切り替え前のページ対して行った表示状態の変更を利用することで、切り替え後のページに対して再度表示状態の変更操作を行う必要をなくすことができる。
【００５５】
例えば、Ｗｅｂページのフォーカスを固定して表示切替ができるようになり、ページ切り替え後もフォーカスを当てなおす必要がなくなる。
【００５６】
結果として、本実施例では、ユーザーの利便性（ユーザビリティー）を向上することができる。
【００５７】
また、本実施例の画像処理装置１においては、状態適用部１７が保持指定されたページと同一ページへの切り替えであるときに変更表示状態の適用を行う。
【００５８】
従って、自動更新等のような同一ページへの切り替え時には、上記の通り切り替え後のページに対して再度表示状態の変更操作を行う必要をなくすことができながら、
別ページへの切り替え時には、初期表示状態での表示を行わせることができる。
【００５９】
例えば、別ページへの切り替え時には、フォーカスが固定されると別ページの画像構成を把握し難くさせ、ユーザビリティーを低下させる。
【００６０】
これに対し、本実施例では、そのようなケースでのフォーカス固定を抑制して全画面表示等の初期表示を行わせることができ、ユーザビリティーを向上することができる。
［その他］
以上、本発明の実施例について説明したが、本発明はこれに限定されるものではなく、各種の変更が可能である。
【００６１】
例えば、上記実施例では、単一のＷｅｂページに対して変更表示状態の保持を行っていたが、複数のＷｅｂページに対する変更表示状態の保持を行うようにすることも可能である。
【００６２】
すなわち、保持部１５は、複数のＷｅｂページのそれぞれにおいて保持指定を入力させて変更表示状態を保持させてもよい。この場合は、保持指定がされている複数のＷｅｂページについて、上記実施例のように変更表示状態の再現を行わせることが可能となる。
【００６３】
また、上記実施例では、保持指定の継続及び解除も保持することで、一度別のページに切り替えても再度保持指定のページに戻った場合に変更表示状態を再現できるようにしていた。
【００６４】
これに代えて、同一ページの更新の場合にのみ、変更表示状態を再現するよう構成してもよい。この場合は、別のページに切り替えられたとき変更表示状態の情報を破棄することができる。結果として、記憶部７の記憶領域の負担を軽減することができる。
【００６５】
また、上記実施例では、切り替え前のＷｅｂページの所定位置を拡大するフォーカスを行っていたが、逆に縮小する場合にも適用することは可能である。また、初期表示状態でＷｅｂページ全体が表示されない場合は、スクロールのみによるフォーカスを変更表示状態とすることも可能である。
【符号の説明】
【００６６】
１  画像処理装置
３  タッチパネル（画面）
１１  表示部
１３  変更部
１５  保持部
１７  状態適用部
【図１】
0005696073.tif 000002
【図２】
0005696073.tif 000003
【図３】
0005696073.tif 000004
【図４】
0005696073.tif 000005